(57)【要約】【課題】システムキッチンのキャビネットに対してトッププレートを簡単かつ迅速に装脱着できるようにする。【解決手段】トッププレート３０の後側では、加熱器本体１２を搭載する筐体１１の背面内側に装着した取付片４２のネジ孔４２１に、トッププレート３０を構成する枠体３２の上面後端に形成した取付孔５２を通して取付ネジ６２を螺着固定し、この取付ネジ６２上に排気カバー３３をかぶせて隠す。一方トッププレート３０の前側では、枠体３２の下端に延設した抜止片５１に係合孔５１１を形成し、この係合孔５１１に筐体１１の前面内側に装着した板バネ４１の弾性脚部４１１を嵌着して抜け止めする。【選択図】図４
2005214577.tif 000002
【特許請求の範囲】
【請求項１】
加熱器本体が搭載された筐体をキャビネット上面のカウンタートップに開設された凹部内に嵌め込み固定して、この筐体の上面前方に開口されたプレート用開口部と上面後方に開口された排気ダクトを開閉可能に蓋するトッププレートの着脱構造であって、
前記トッププレートは前記プレート用開口部を覆うガラス板と、このガラス板の周縁に固着され前記排気ダクトに連通する排気口を形成した枠体を備えて構成され、
前記筐体の背面内側に装着した取付片に対して前記枠体の上面後端に形成した取付孔を通して取付ネジが螺着され、かつ前記排気口上に載置する排気カバーでこの取付ネジが隠されるとともに、
前記筐体の前面と前記枠体の前面のいずれか一方に前記カウンタートップの水平方向に開口した係合孔が設けられ、かつ他方にはこの係合孔に嵌合する弾性脚部を備えた板バネが設けられてなり、前記トッププレートを前記カウンタートップの垂直方向に落とし込むことで弾性脚部が係合孔に弾性嵌着されるようにした
ことを特徴とするトッププレートの着脱構造。
【請求項２】
請求項１に記載のトッププレートの着脱構造において、
前記筐体の側面と前記枠体の側面のいずれか一方に前記カウンタートップの垂直方向に刻設した溝部とこの溝部から前記カウンタートップの水平方向に延設した係止孔が設けられ、かつ他方にはこの溝部と係止孔に嵌合する係止爪が設けられてなり、前記トッププレートを前記カウンタートップの垂直方向に落とし込むことで係止爪が溝部に案内され、続いてこのトッププレートをカウンタートップの水平方向にスライドさせることで係止爪が係止孔に係着されるようにした
ことを特徴とするトッププレートの着脱構造。
【発明の詳細な説明】
【技術分野】
【０００１】
本発明は、システムキッチンのキャビネットに嵌め込み固定される組込型の加熱調理器において、加熱器本体が搭載された筐体を取り外すことなくトッププレートのみを取り外し可能にしたトッププレートの着脱構造に関する。
【背景技術】
【０００２】
従来、一般家庭の台所に設置される加熱調理器は火力式のガスコンロのような据置型が主流であったが、最近では外観見映えを重視したシステムキッチンの登場により電気を熱源とするクッキングヒータのような組込型の加熱調理器が多用される傾向にある。この組込型の加熱調理器は、システムキッチンにおいてキャビネット上面のカウンタートップに嵌め込み固定される。また加熱器本体の上面には通常ガラス板からなるトッププレートが載置されるが、このトッププレートはカウンタートップに対してフラットな面であるため調理時に飛び散った油や噴きこぼれた煮汁等の汚れを拭き取り易く、しかも火を使わないため噴きこぼれによる立ち消えやガス漏れ等の心配もなく安全である。
【０００３】
ところで、この種の加熱調理器においては、定期的な点検や修理等のメンテナンス作業を行う場合や、あるいは継続使用でガラス板に傷が付いたりそのデザインに飽きを感じたりする場合が考えられる。このような場合にトッププレートだけを加熱器本体から取り外しできると便利である。そこで、例えば次に掲げる特許文献にはトッププレートを着脱可能にした構造が開示されている。
【０００４】
【特許文献１】特公平４−３４０５６号公報
【０００５】
【特許文献２】特許第３２９７８２１号公報
【０００６】
特許文献１の加熱調理器では、加熱装置を搭載した框体がその上端周縁にあるフランジでカウンタートップに支持されている。この框体の前面には内側に突出させた係止部が設けられ、かつ天板のプレートを支持する枠体の前面にはこの係止部に対応する係合部が設けられている。そして天板の後方はビスで框体に固定され、天板の前方は枠体の係合部に框体の係止部が係合して固定された構造になっている。
【０００７】
また特許文献２の加熱調理器では、加熱コイルを搭載したトップヒータ部が押さえ板を介してカウンタートップに固着されている。このトップヒータ部には、天板後方の後フレームがビス締めで固定され、かつ天板前方のフック部がビス締めで固定される。そして天板前方のフック部とビスは、カウンタートップと操作パネルとの間の隙間に嵌め込まれる飾り枠で隠されて前方から見えないような構造になっている。
【発明の開示】
【発明が解決しようとする課題】
【０００８】
前述した特許文献の加熱調理器によると、プレートとそれを支持する枠体からなる天板が加熱器本体を搭載した框体にビス締めで固定された構造であるため、このビスを取り外して固定を解除すれば天板のみを取り外すことは可能である。
【０００９】
しかしながら、特許文献１の加熱調理器では、天板前方の構造において框体の前面内側に係止部が突出しているため、天板の装着時にはまず天板の前方を傾斜させてこの係止部を天板の係合部に嵌め込み、次に天板を回動させながら天板の後方を下ろしてビス締めしなければならない。逆に天板の脱着時にはまず天板の後方のビスを取り外し、次に天板の後方を持ち上げ天板の前方を傾斜させながら天板の係合部から框体の係止部を抜き取る作業が必要になる。このように天板の装脱着時において、天板の前方と後方で固定や解除に操作順序が決められており、しかも天板を傾斜させて係止部を嵌め込んだり抜き取ったりしなければならず、操作性が悪いという欠点がある。
【００１０】
一方、特許文献２の加熱調理器では、天板の前方と後方において固定や解除に操作順序は決められていないが、天板前方の構造においてフック部と飾り枠の２箇所の作業が必要になっている。すなわち天板の装着時には、フック部とトップヒータ部をビス締めで固定した上で操作パネルに固着された押さえバネに飾り枠を嵌め込まなければならない。逆に天板の脱着時には、この押さえバネから飾り枠を抜き取った上でフック部のビスを取り外す作業が必要になる。このように天板の装脱着時において、天板前方の２箇所で固定や解除の操作を行わなければならず、天板の装脱着を素早く行うことができないという欠点がある。
【００１１】
本発明はこのような事情に鑑みてなされたものであり、その目的とするところはシステムキッチンのキャビネットに対してトッププレートを簡単かつ迅速に装脱着できるようにしたトッププレートの着脱構造を提供することにある。
【課題を解決するための手段】
【００１２】
前述した目的を達成するために、本発明の一実施態様は、加熱器本体が搭載された筐体をキャビネット上面のカウンタートップに開設された凹部内に嵌め込み固定して、この筐体の上面前方に開口されたプレート用開口部と上面後方に開口された排気ダクトを開閉可能に蓋するトッププレートの着脱構造であって、前記トッププレートは前記プレート用開口部を覆うガラス板と、このガラス板の周縁に固着され前記排気ダクトに連通する排気口を形成した枠体を備えて構成され、前記筐体の背面内側に装着した取付片に対して前記枠体の上面後端に形成した取付孔を通して取付ネジが螺着され、かつ前記排気口上に載置する排気カバーでこの取付ネジが隠されるとともに、前記筐体の前面と前記枠体の前面のいずれか一方に前記カウンタートップの水平方向に開口した係合孔が設けられ、かつ他方にはこの係合孔に嵌合する弾性脚部を備えた板バネが設けられてなり、前記トッププレートを前記カウンタートップの垂直方向に落とし込むことで弾性脚部が係合孔に弾性嵌着されるようにしたことを特徴とする。
【００１３】
このような構成によると、トッププレートの前方で板バネの弾性脚部が係合孔で抜け止めされるので、後方では取付孔と取付片をネジ止めするだけで済み、従来のように天板を傾斜させながら操作したり、天板の前方の飾り枠を取り外したりする作業を行うことなくトッププレートを筐体に対して確実な取り付け姿勢で固定でき、簡単かつ素早い装脱着が可能になる。
【００１４】
また本発明のより好ましい実施態様は、前記構成からなるトッププレートの着脱構造において、前記筐体の側面と前記枠体の側面のいずれか一方に前記カウンタートップの垂直方向に刻設した溝部とこの溝部から前記カウンタートップの水平方向に延設した係止孔が設けられ、かつ他方にはこの溝部と係止孔に嵌合する係止爪が設けられてなり、前記トッププレートを前記カウンタートップの垂直方向に落とし込むことで係止爪が溝部に案内され、続いてこのトッププレートをカウンタートップの水平方向にスライドさせることで係止爪が係止孔に係着されるようにしたことを特徴とする。
【００１５】
このような構成によると、トッププレートがカウンタートップ上で前後左右方向にガタツクことがなくトッププレートをより一層確実に装着できる。
【発明の効果】
【００１６】
本発明に係るトッププレートの着脱構造によれば、加熱器本体が搭載された筐体をシステムキッチンのキャビネットから取り外すことなく、トッププレートだけを簡単な操作で素早く装脱着することが可能になる。このため加熱調理器の定期的な点検や修理等のメンテナンス作業を行う場合や、あるいは継続使用でガラス板に傷が付いたりそのデザインに飽きが来たりした場合にトッププレートだけを交換できて非常に便利である。
【発明を実施するための最良の形態】
【００１７】
以下、本発明の実施の形態について、添付図面を参照しながら詳細に説明する。
【００１８】
まず図１を参照しながら全体構造を説明すると、符号１はシステムキッチンであり、このシステムキッチン１のキャビネット２に設置される加熱調理器は、本実施形態では加熱器１０とコントロールパネル２０とトッププレート３０で組み立てられる組込型の調理用機器である。
【００１９】
加熱器１０は、キャビネット２上面のカウンタートップ３に開設された凹部４内に収容され、加熱器本体１２が搭載された筐体１１は、そのフランジ部１１１でカウンタートップ３に支持されて凹部４の内壁面にネジ止めすることで固定される。この筐体１１の内部の空間は上下隔壁板１３と左右隔壁板１４で仕切り形成されている。そして上下隔壁板１３の上側に配設されたトッププレート部には加熱器本体１２として左右にＩＨヒータ１２１，１２１と中央にラジエントヒータ１２２が設置され、左右隔壁板１４の一方側に配設されたロースタ部には加熱器本体１２としてシーズヒータ１２３が設置されている。また左右隔壁板１４の他方側にはインバータユニット１５が配設されており、そこには加熱器本体１２に供給される電力を制御する回路基板が内蔵されている。なお符号１６は電力供給用の電源コードである。
【００２０】
コントロールパネル２０は、キャビネット２前面の幕板５に形成された開口部６に嵌め込まれ、前記筐体１１の外壁面に予めネジ止め固定で一体化されている。このコントロールパネル２０には電源スイッチ２１と、電力調節用つまみ２２と、タイマー設定ボタン２３を備えた操作部が設けられている。
【００２１】
トッププレート３０は、ガラス板３１とその周縁に固着された金属製の枠体３２で構成されており、前記筐体１１の上面開口部を開閉可能に蓋する機能を有している。ガラス板３１は筐体１１の加熱器本体１２上に開口されたプレート用開口部１７を覆い、左右のＩＨヒータ１２１，１２１と中央のラジエントヒータ１２２に対応する位置に加熱エリア３１１，…が印刷表示されており、前方に火力表示ランプ３１２と高温注意ランプ３１３が設けられている。
【００２２】
また枠体３２の後方にはトッププレート３０の幅方向に長尺状の窪み部３２１が形成されており、この窪み部３２１には排気口３２２が横一列に開口されている。この排気口３２２はロースタ部で発生する熱風や煙を排気する排気ダクト１８に連通するもので、この排気口３２２の上には調理時のゴミの落下を防ぐために排気カバー３３が窪み部３２１に載置される。そして排気カバー３３を載置した時に排気カバー３３の上面の高さとガラス板３１の上面の高さは等しくなるように設定されている。
【００２３】
ところで、本実施形態ではキャビネット２のカウンタートップ３に嵌め込み固定された加熱調理器において、加熱器１０とトッププレート３０を簡単かつ迅速に装脱着できる着脱構造を採用している。
【００２４】
まず加熱器１０では、筐体１１の前面上方に二つの板バネ４１，４１が取り付けられている。この板バネ４１は、図２に示すように断面「く」字状に形成された弾性脚部４１１を有しており、弾性脚部４１１の湾曲側を筐体１１内部に向けて突出させてその頭部４１２を筐体１１の前面外壁にビス７で共締めすることで固定されている。また筐体１１の背面上端には二つの取付片４２，４２が装着されている。この取付片４２は、図２に示すように断面「Ｌ」字状に形成されており、その一片にはカウンタートップ３の垂直方向にネジ孔４２１が刻設されていて、他片を筐体１１の背面内壁にビス７で共締めすることで固定されている。
【００２５】
なお、本実施形態では板バネ４１の弾性脚部４１１が断面「く」字状に形成されているが、この形状に限らず弾性脚部４１１が筐体１１内部に向けて湾曲した形状であれば良く例えば断面「Ｕ」字状等の形状を採用することも可能である。
【００２６】
一方のトッププレート３０では、枠体３２の前面下端に二つの抜止片５１，５１が設けられている。この抜止片５１は、図３に示すように枠体３２を下方に延長して筐体１１の前面内壁に当接するように設けたもので、その中央にはカウンタートップ３の水平方向に貫通して前記板バネ４１の弾性脚部４１１に嵌合する係合孔５１１が形成されている。また枠体３２の後方に排気カバー３３を載置する窪み部３２１が設けられているが、この窪み部３２１には前記取付片４２のネジ孔４２１に対応する位置に取付孔５２，５２が形成されている。
【００２７】
そして加熱器１０をカウンタートップ３の凹部４内に嵌め込み、筐体１１のフランジ部１１１をカウンタートップ３で支持してネジ止め固定した状態でトッププレート３０をカウンタートップ３に対して垂直方向に落とし込んでいくと図４に示すようになる。
【００２８】
すなわち、トッププレート３０の前方では、枠体３２に設けられた抜止片５１が筐体１１の前面内壁に当接しながら下方に案内され、抜止片５１の下端が板バネ４１の弾性脚部４１１に衝突する（図４ａ参照）。ここで弾性脚部４１１の湾曲側は抜止片５１の係合孔５１１周縁部に押圧され、ビス７を基点にして筐体１１の外側に向けて撓み変形する（図４ｂ参照）。さらにトッププレート３０を下方に押し進めていき、弾性脚部４１１が係合孔５１１の位置まで来ると、弾性脚部４１１の湾曲側が押圧から解放され、筐体１１の内側に向けて弾性復帰して係合孔５１１内に嵌着される（図４ｃ参照）。
【００２９】
これに対してトッププレート３０の後方では、枠体３２の縁部３２３下面がカウンタートップ３上面に突き当たり、枠体３２の取付孔５２と取付片４２のネジ孔４２１の位置を合致させることで両者の正確な位置決めがなされる（図４ｃ参照）。そして取付ネジ６２を枠体３２の外側から取付孔５２を貫通させてネジ孔４２１に螺着することで、枠体３２と取付片４２が一体に固定される。また取付ネジ６２を螺着した後に窪み部３２１に排気カバー３３を嵌め込むことで、取付ネジ６２が排気カバー３３の下に隠れるのでトッププレート３０の外観見映えを損なうこともない。
【００３０】
なお、トッププレート３０の前後において、枠体３２の縁部３２３が筐体１１のフランジ部１１１に当接して支持されるので、トッププレート３０がカウンタートップ３に対してそれよりも下方に入り込んで脱落するのを防ぎ、適正な取り付け姿勢を確保できる。
【００３１】
以上がトッププレート３０の装着時の操作であるが、脱着時にはこれと逆の操作を行えば良い。すなわち、まずトッププレート３０後方の排気カバー３３を窪み部３２１から取り外し、取付ネジ６２を緩めて枠体３２と取付片４２の固定を解除する。続いてトッププレート３０をカウンタートップ３に対して垂直方向に引き上げれば、弾性脚部４１１と係合孔５１１との嵌着が解除されてトッププレート３０を筐体１１から簡単な操作で脱着することができる。
【００３２】
このようにトッププレート３０の装着に際し、前方で板バネ４１の弾性脚部４１１が抜止片５１の係合孔５１１で抜け止めされるので、後方では取付孔５２と取付片４２をネジ止めするだけで済む。つまり従来のように天板を傾斜させながら操作したり、天板の前方の飾り枠を取り外したりする作業を行うことなくトッププレート３０を筐体１１に対して確実な取り付け姿勢で固定でき、しかも簡単かつ素早くトッププレート３０の装脱着を行うことが可能になる。
【００３３】
このため、加熱調理器の定期的な点検や修理等のメンテナンス作業を行う場合にトッププレート３０だけを加熱器１０から取り外しできて便利である。またトッププレート３０だけを取り外しできるので、継続使用でガラス板３１に傷が付いたりそのデザインに飽きを感じたりした場合に、図５に示すトッププレート３０のようにガラス板３１に各種デザインの加熱エリア３１１，…を印刷表示したものの中から好みのデザインのプレートを選んで交換することが可能になり、システムキッチン１の外観に合わせたコーディネートを楽しむこともできる。
【００３４】
さらには、本発明の他の実施形態として図６に示す構造を併用することもできる。同図に示す構造はトッププレート３０の側面と筐体１１の側面との間に鍵孔による係止構造を採用したものである。
【００３５】
すなわち、トッププレート３０の両側面外壁には枠体３２を下方に延長して筐体１１の側面内壁に当接するように係止片５３が設けられており、この係止片５３にはカウンタートップ３に対して垂直方向に刻設した溝部５３１と、この溝部５３１からカウンタートップ３の水平方向に延設した係止孔５３２が形成されている。これに対して筐体１１の両側面内壁には前記係止片５３に対応する位置に係止爪４３が設けられており、この係止爪４３は前記溝部５３１と係止孔５３２に嵌合するサイズに設定されている。
【００３６】
この構成において、装着時にまずトッププレート３０をカウンタートップ３に対して垂直方向に落とし込むことで、筐体１１の係止爪４３は枠体３２の溝部５３１の上方に向けて案内される（図６ａ参照）。続いて係止爪４３が溝部５３１の終端に突き当たったところでトッププレート３０をカウンタートップ３に対して水平方向にスライドさせると、この係止爪４３が係止孔５３２に係着して固定される（図６ｂ参照）。一方で、脱着時にはトッププレート３０を先程とは反対方向にスライドさせて係止爪４３と係止孔５３２の係着を解除し、トッププレート３０を垂直方向に引き上げることで筐体１１から簡単に脱着することができる。
【００３７】
このようにトッププレート３０の側面外壁と筐体１１の側面内壁との間に鍵孔による係止構造を採用することで、トッププレート３０がカウンタートップ３上で前後左右方向にガタツクことがなくトッププレート３０の確実な装着を実現できるという利点がある。
【００３８】
なお、前述した実施形態では、図１乃至図４に示したトッププレート３０の前面の構造において、枠体３２に係合孔５１１を形成し、筐体１１に板バネ４１を装着した構造について説明したが、これとは逆に枠体３２側に板バネ４１を装着し、筐体１１側に係合孔５１１を形成する構造を採用しても良い。また図６に示したトッププレート３０の側面の構造についても同様に、枠体３２側に係止爪４３を設け、筐体１１側に溝部５３１と係止孔５３２を形成する構造を採用することも考えられる。
【図面の簡単な説明】
【００３９】
【図１】本発明に係るトッププレートの着脱構造の一実施形態を示す分解斜視図。
【図２】図１に示すＡ−Ａ線断面図。
【図３】図１に示すＢ−Ｂ線断面図。
【図４】トッププレート装着時の状態を示す部分断面図。
【図５】トッププレートの外観の一例を示す平面図。
【図６】本発明の他の実施形態を示す平面図。
【符号の説明】
【００４０】
１  システムキッチン
２  キャビネット
３  カウンタートップ
４  凹部
１０  加熱器
１１  筐体
１１１  フランジ部
１２  加熱器本体
１７  プレート用開口部
１８  排気ダクト
２０  コントロールパネル
３０  トッププレート
３１  ガラス板
３２  枠体
３２１  窪み部
３２２  排気口
３２３  縁部
３３  排気カバー
４１  板バネ
４１１  弾性脚部
４１２  頭部
４２  取付片
４２１  ネジ孔
４３  係止爪
５１  抜止片
５１１  係合孔
５２  取付孔
５３  係止片
５３１  溝部
５３２  係止孔
６２  取付ネジ
【図１】
2005214577.tif 000003
【図２】
2005214577.tif 000004
【図３】
2005214577.tif 000005
【図４】
2005214577.tif 000006
【図５】
2005214577.tif 000007
【図６】
2005214577.tif 000008